(57)【要約】吸気気体を流すためのラインシステムを備えており、このラインシステムが患者に対する接続部と気体の各成分を供給する接続部と気体の各成分を排出する接続部とを備えている患者用の呼吸装置であって、ラインシステムが実質的に平板状の第一部品と第二部品からなり、第一部品と第二部品はそれぞれ内面と外面を備え、内面同士を互いに合わせるようにして配置されることが想定されており、少なくとも一方の部品の内面に内面側に開いた長手面のある溝を有していることにより、その内面に他方の部品の内面をくっつけると溝の開放面が覆われて流路が形成され、その流路を通して吸気気体または麻酔気体を供給できるようになることを特徴とする。
2017501846.tif 000002
【特許請求の範囲】
【請求項１】
患者用の呼吸装置であって、
特に自宅での人工呼吸用、麻酔用、集中治療用であり、吸気気体を流すためのラインシステムを備えており、このラインシステムは患者との接続部と、気体の様々な成分を供給・排出するための接続部を備え、このラインシステムは全体または一部において、基本的に平板状の第一部品と第二部品からなり、それぞれ内面と外面を有し、第一部品と第二部品は内面同士が互いに合わさるように配置されることが想定されており、少なくとも片方の部品の内面に溝が形成され、その溝には内面側に開いた長手面があることによって、内面をくっつけると溝の開放面が覆われて流路が形成され、その流路を通して吸気気体または麻酔気体を流すことができるようになることを特徴とする呼吸装置。
【請求項２】
請求項１の装置であって、
両方の部品の内面に溝が設けられており、内面側に開いた長手面を有し、内面同士を互いにくっつけると両方の溝の開口長手面どうしが互いに合わさり、溝で流路が形成され、この流路を通して吸気気体または麻酔気体を流すことができるようになることを特徴とする装置。
【請求項３】
請求項１または請求項２の装置であって、
部品同士を互いに取り付けたり取り外したりすることができる手段を備えることを特徴とする装置。
【請求項４】
請求項１または請求項２または請求項３の装置であって、
部品がＰＥＩから製造されることを特徴とする装置。
【請求項５】
先行の請求項のいずれか１つに記載の装置であって、第一部品および／または第二部品が少なくとも部分的にそれらの外面側にフランジ状に張り出した側縁部を備えていることを特徴とする装置。
【請求項６】
先行の請求項のいずれか１つに記載の装置であって、第一部品および／または第二部品に開口部が設けられていることを特徴とする装置。
【請求項７】
請求項６の装置であって、溝が開口部と接続または連通していることを特徴とする装置。
【請求項８】
先行の請求項のいずれか１つに記載の装置であって、開口部の箇所に閉め具を備えており、流路の一部を開閉するためにこの閉め具を流路内に動かすことができるようになっていることを特徴とする装置。
【請求項９】
先行の請求項のいずれか１つに記載の装置であって、少なくとも片方の部品に材料層が設けられていることを特徴とする装置。
【請求項１０】
請求項９の装置であって、材料層が密閉材料または弾性材料で形成されていることを特徴とする装置。
【請求項１１】
請求項９または請求項１０に記載の装置であって、材料層がシリコーン材料で形成されていることを特徴とする装置。
【請求項１２】
先行の請求項に記載のいずれかの装置であって、
片方の部品の開口部の箇所に閉め具が設けられており、流路の一部を開閉するために閉め具を流路内に動かすことができ、内面に材料層が設けられており、閉め具で材料層をもう片方の部品の内面に押し付けることができるようになっていることを特徴とする装置。
【請求項１３】
先行の請求項のいずれか１つに記載の装置であって、片方の部品の外面にある開口部の箇所に円筒形のハウジングを備えており、流路の一部を開閉するためにそのハウジングから閉め具を流路内へと動かすことができ、内面に材料層が設けられており、閉め具で材料層をもう片方の部品の内面に押し付けることができるようになっていることを特徴とする装置。
【発明の詳細な説明】
【技術分野】
【０００１】
本発明は患者用の呼吸装置に関するもので、特に自宅での人工呼吸用、麻酔用、または集中治療用であり、この装置は吸気気体を流すためのラインシステムを備えている。このラインシステムは患者に対する接続部、気体の様々な成分を供給するための接続部、さらに気体の様々な成分を排出するための接続部を備えている。
【背景技術】
【０００２】
このような装置は知られている。
【０００３】
既知の装置では、ホースでラインシステムが形成されている。
【０００４】
装置によって次に使用する患者が汚染されないようにするため、既知のホースシステムの、特にその内側を徹底的に洗浄する必要がある。このホースシステムの洗浄は、まず洗剤を混ぜた水の中で洗い、その後ホースの内側を水で洗い流す。この後はラインシステムから水を抜くか振り出す。そしてその後、このシステムを完全に乾燥させなければならない。
【０００５】
ホースの内側には手が届きにくいかまたは全く手が届かないため、これらの洗浄と乾燥はかなり困難である。
【０００６】
本発明は簡単な方法で洗浄と乾燥ができるラインシステムを装置に設けることを目的とする。
【発明の概要】
【０００７】
本発明の装置は、ラインシステムがその全体または一部において実質的に平板状の第一部品と第二部品からなり、第一部品と第二部品のそれぞれが内面と外面を有し、第一部品と第二部品の内面同士が合わさるように配置されることが想定されており、内面に内面方向に開いた長手面を有する溝の少なくとも一部分が形成され、内面同士を互いに合わせると溝の開口面が覆われて流路が形成され、この流路を通して吸気気体または麻酔気体を流すことができるようになることを特徴とする。
【０００８】
本発明の装置の特徴として、内面方向に開いた長手面を有する溝が両方の部品の内面に設けられていることにより、両方の部品の内面同士が合わさるように配置すると、溝の開いた面が互いに接触し、溝で流路が形成され、この流路を通して吸気気体または麻酔気体を流すことができるようになる。
【０００９】
本発明の装置のさらなる特徴として、第一部品と第二部品の少なくとも一部分に外面側にフランジ状に張り出す側縁部が備えられている。
【００１０】
本発明の装置のもう一つの特徴として、第一部品と第二部品に開口部が設けられている。
【００１１】
本発明の装置のまたさらなる特徴として、溝は開口部と接続または連通している。
【００１２】
本発明の装置のさらなる特徴として、開口部に閉じ具が設けられており、この閉じ具は流路の一部を開閉するために流路内に動かすことができる。
【００１３】
本発明の装置のまたさらなる特徴として、少なくとも片方の部品の内面には材料層、より具体的にはシリコーン層が備えられている。
【００１４】
別のさらなる特徴と詳細については本発明の装置の実施例の図面を参照しながら説明する。
【図面の簡単な説明】
【００１５】
【図１】図１は本発明の患者用の呼吸装置の斜視図である。
【図２】図２は図１に示した装置の上部を開けたときの斜視図を示す。
【図３】図３は図１に示した装置に組み込まれ、さらに呼吸装置のいくつかの構成要素が接続されたラインシステムの斜視図を示している。
【図４ａ−４ｂ】図４ａと図４ｂは図３で示したラインシステムの第一部品５の内面と外面それぞれの斜視図を示す。
【図５ａ−５ｂ】図５ａと図５ｂはラインシステムの第二部品６の外面と内面それぞれの斜視図を示す。
【図６ａ−６ｂ】図６ａと図６ｂはラインシステムの第二部品６の外面と内面それぞれの斜視図を示しており、内面はこの実施例ではシリコーン層で覆われている。
【図７】図７はシリコーンを内張りした第二部品の内面の詳細な斜視図を示す。
【図８】図８は部品同士を互いに合わせたときの側面図を示す。
【図９ａ】図９ａは部品同士を互いに合わせたときの部品の細部の斜視図を示す。
【図９ｂ】図９ｂは部品同士を互いに合わせたときの部品の斜視図を示す。
【図１０】図１０は閉じ具の付いた部品同士を互いに合わせたときの断面斜視図を示す。
【図１１】図１１は部品同士を互いに合わせたときのさらなる断面斜視図を示す。
【発明を実施するための形態】
【００１６】
図１には、自宅での人工呼吸、麻酔または集中治療などに使用することができる患者用の呼吸装置１を示しており、この呼吸装置１の中には図２に示したように吸気気体を流すためのラインシステム２が設けられる。このラインシステム２には、特定の呼吸パターンに応じてラインシステム内の圧力を変えることのできる装置３と、患者が吐いた二酸化炭素をラインシステムから回収するための２つの吸引装置４とが接続される。このラインシステムは通常、患者と接続され、気体の様々な成分を供給したり排出したりするのに提供される(図１には示さず)。
【００１７】
図３に第一部品５と第二部品６からなるラインシステム２を示す。図４、図５、図６を見ればわかるように、部品５と部品６は基本的に平板状をしている。それぞれの部品は内面５ａ、内面６ａと外面５ｂ、外面６ｂを有する。これらの部品５、６はさらに外面５ｂ、６ｂ側にフランジ状に張り出した側縁部７、８を備えている。これによりある程度硬く剛性のある構造となる。
【００１８】
図３、図８、図９ａ、図９ｂ、図１０、図１１を見ればわかるように、装置を使用している間、第一部品５と第二部品６は内面５ａと内面６ａが合わさるように配置して互いに取り付けることが想定されている。図４ｂ、図５ａ、図６ａを見ればわかるように、内面５ａ、内面６ａには内面５ａ、内面６ａ側に開いた溝９が形成されている。溝９は第一部品５と第二部品６のそれぞれの内面５ａ、内面６ａに互いに鏡像関係となるように設けられている。こうすることで、内面５ａと内面６ａが互いに合わさるように配置すると、片方の内面５ａにある溝９の開口長手面１０はもう片方の内面６ａにある溝９の開口長手面１０とつながる。このように両部品を互いに合わさるようにして配置すると、図２、図９ａ、図１０に示すように隣接する溝９が合わさることにより流路１１が形成され、ここを通して吸気気体または麻酔気体を流すことができるようになる。
【００１９】
図示した実施例では、溝９は内面５ａ、内面６ａの両方に設けられている。この代わりに、２つの協動する内面のうち片方にだけ溝９を設けてもよい。例えば内面５ａに内面５ａ側の開いた長手面１０を有する溝９などの深くした部分を設けることにより、この場合ある程度平らとしたもう一方の部品６の内面６ａをその内面５ａに配置したときに溝９または深くした部分の開口長手面１０が覆われて所望の流路１１が得られるようにすることもできる。
【００２０】
両部品はＰＥＩから製造することができる。
【００２１】
図４、図５、図６を見ればさらにわかるように、図示した実施例では第一部品５と第二部品６には開口部１２が設けられている。これら開口部１２にはラインシステムの圧力を調整する装置３や、二酸化炭素をラインシステムから回収するための吸引装置４や、気体の各成分を供給したり排出したりするためのいくつかの接続部など、呼吸装置のさらなる構成要素を連結し、この開口部１２には溝９を連通または接続することができる。この開口部１２の位置にはさらに閉じ具を設けることができる。
【００２２】
部品５と部品６の少なくとも一方の内面５ａ、内面６ａに材料層、望ましくはシリコーン層を効率的な方法で設けることができる。部品同士を取り付けると、この層により、組み付けられた部品からなる漏れ防止構造の組立体が形成される。これは非常に重要な点であり、なぜなら呼吸気体がラインシステムまたは流路から意図せず漏れないようにすることができるためである。
【００２３】
図６ａに第二部品６を示した。第二部品６の内面６ａの表面にシリコーン層１４が設けられている。これにより開口部１２のうち少数の開口部１５は層に覆われており、その様子は図７で詳細に見ることができる。この装置は開口部１２に閉じ具１３を備えることができ、図１１に示すように、閉じ具１３を流路１１の中まで移動させて流路１１の一部を開閉することができる。第二部品６の内面６ａに取り付けたシリコーン層１４は閉じ具１３と第一部品５の間にあり、閉じ具１３でシリコーン層１４を第一部品５の内面５ａに押し当てることができるようにしている。
【００２４】
さらに第一部品５と第二部品６のそれぞれの外面５ｂ、外面６ｂの開口部１２に円筒形のハウジングを設けてもよい。流路の一部を開閉するのに、閉じ具をこの円筒形のハウジングから流路に移動させることができる。
【００２５】
第一部品５と第二部品６からなるラインシステム組立品は呼吸装置１に対して取り付けや取り外しが可能である。装置から組立品を簡単に取り外せるように、組立品にはハンドルを設ける(図８の矢印Ａ)。第一部品５と第二部品６には、単純な方法で第一部品５と第二部品６を互いに慎重にくっ付けたり取り外したりする手段を備えている。溝は全長にわたって開放部分を備えているため、溝の内面は手が届きやすく、ラインシステムまたは溝によって形成される流路の洗浄も乾燥も簡単に隅々まで行うことができる。装置の使用後は装置から組立品を取り外し、第一部品５と第二部品６を分離する。この後これらを洗浄して乾燥させる。部品の洗浄と乾燥の後、それらの部品を再度合わせ、装置に取り付ける。さらにその後、部品にある開口部を使ってさらなる構成要素をラインシステムに接続することもできる。
【図１】
2017501846.tif 000003
【図２】
2017501846.tif 000004
【図３】
2017501846.tif 000005
【図４ａ】
2017501846.tif 000006
【図４ｂ】
2017501846.tif 000007
【図５ａ】
2017501846.tif 000008
【図５ｂ】
2017501846.tif 000009
【図６ａ】
2017501846.tif 000010
【図６ｂ】
2017501846.tif 000011
【図７】
2017501846.tif 000012
【図８】
2017501846.tif 000013
【図９ａ】
2017501846.tif 000014
【図９ｂ】
2017501846.tif 000015
【図１０】
2017501846.tif 000016
【図１１】
2017501846.tif 000017
【国際調査報告】
2017501846.tif 000018
2017501846.tif 000019